(57)【要約】【課題】本発明は便利に着用できる防雨マスクを開示した。【解決手段】本発明は便利に着用できる防雨マスクを開示し、ヘルメット部分と防雨部分を含み、本発明はヘルメット部分と防雨部分に分けられ、ヘルメット部分は遮光部品がついており、ハンドル部分によって遮光部品の中の遮光防水膜の収納展開を制御し、太陽光を遮り、防雨部分は便利に着用でき、前側の透明板は視界を広げ、サイドミラー透明板は伝統的なレインコートと異なり、雨の日にもサイドミラーを通して後側の状況を観察できる。【選択図】図１
2020176357.tif 000002
【特許請求の範囲】
【請求項１】
便利に着用できる防雨マスクであって、ヘルメット部分と防雨部分を含み、：前記防雨部分を電動カートに掛けることができ、前記ヘルメット部分は外殻を含み、前記外殻の頂部端面には頂部固定ブロックが設置され、前記頂部固定ブロックの頂部端面には球体が設置され、前記外殻の前後両側端面の間には防風板が回転できるように取り付けられ、前記防風板の中には太陽光の直射の影響を減少する遮光部品が設置され、前記遮光部品は前記防風板の中に位置する遮光チャンバを含み、前記遮光チャンバの頂壁にはスライド溝が設置され、前記スライド溝の中には回転軸がスライドできるように取り付けられ、前記回転軸の端部には固定スリーブが回転できるように取り付けられ、前記固定スリーブの端部には前記遮光部品の移動を制御するハンドル部分が設置され、前記ハンドル部分は前記固定スリーブの端部に固定的に取り付けられる連結棒を含み、前記連結棒と前記防風板とがスライドできるように係合され、前記防風板のうち後に近接している端面の中には方形係止溝が設置され、前記連結棒の外側にはハンドルブロックがスライドできるように取り付けられ、前記ハンドルブロックが前記方形係止溝と差込係合されて前記遮光部品を固定でき、前記外殻の中には裏地が設置され、前記外殻の左側には砂を防御し保温できるマスク部分が設置されていることを特徴とする便利に着用できる防雨マスク。
【請求項２】
前記遮光部分は前記遮光チャンバの右側壁に固定的に取り付けられるラックを含み、前記回転軸には歯車が設置され、前記歯車と前記ラックとが噛合し、前記回転軸の外側には遮光防水膜が数回に固定的に巻き付けられており、前記遮光防水膜と前記遮光チャンバの前側壁とが固定され、前記固定スリーブと前記遮光チャンバの底壁とが接触している；固定スリーブが後へ移動して回転軸と歯車を後へ移動連動させ、歯車がラックとの噛合によって回転軸を回転連動させ、回転軸の回転と変位によって、遮光防水膜が段々開ていくことを特徴とする請求項１に記載の便利に着用できる防雨マスク。
【請求項３】
前記ハンドル部分はハンドルブロックの中の弾力溝を含み、前記連結棒と前記弾力溝とがスライドできるように係合され、前記弾力溝の左壁の中には位置制限溝が設置され、前記連結棒の左端面には位置制限ブロックが設置され、前記位置制限ブロックと前記位置制限溝とがスライドできるように係合され、前記連結棒と前記弾力溝の底壁との間には引張力撥条が設置され、前記ハンドルブロックの底部端面にはブロック体が設置されている；遮光防水膜を開く時、ブロック体を握ってハンドルブロックと連結棒を移動連動させ、連結棒が固定スリーブを移動連動させ、ハンドルブロックが方形係止溝のところに移動した後引張力撥条の作用によって上に引っ張られ、ハンドルブロックと方形係止溝とが挿設され、回転軸の位置を安定させ、遮光防水膜を納める時下へブロック体を引っ張り、ハンドルブロックを連動させて方形係止溝から出させ、ハンドルブロックを元に移動した後回転軸を反方向に回転連動させて遮光防水膜を巻くことを特徴とする請求項１に記載の便利に着用できる防雨マスク。
【請求項４】
前記マスク部分はマスクを含み、前記外殻の後側端面の中にはネジ山穴が設置され、前記ネジ山穴にはネジ山ブロックがネジ山によって係合して取り付けられ、前記マスクが前記ネジ山穴によって前記外殻の後側端面に固定でき、前記外殻の前側端面にはＬ型バックルが設置され、前記マスクの前端には弾性バンドが設置され、前記弾性バンドを前記Ｌ型バックルの中に引っ掛けることができる。マスクを使う時、ネジ山ブロックによってマスクの後端を固定し、弾性バンドを引っ張って弾性バンドをＬ型バックルに掛けることを特徴とする請求項１に記載の便利に着用できる防雨マスク。
【請求項５】
前記防雨部分は頂部プラスチックボードを含み、前記頂部プラスチックボードは前記球体と回転できるように協働でき、前記頂部プラスチックボードの外側には透明防雨布が設置され、前記透明防雨布には前側透明板が設置され、前記電動カートには二つのサイドミラーが設置され、前記透明防雨布には二つのサイドミラーカバーが設置され、前記サイドミラーカバーを前記電動カートに掛けることができ、前記サイドミラーカバーにはサイドミラー透明板が設置され、防雨部分を着用する時、頂部プラスチックボードを球体に置き、防風板を上げ、前側透明板と頂部プラスチックボードとの間の透明防雨布を突き上げ、サイドミラーカバーをサイドミラーに被せることを特徴とする請求項１に記載の便利に着用できる防雨マスク。
【発明の詳細な説明】
【技術分野】
【０００１】
本発明はサイクリングマスクの分野を取り上げて、具体的には便利に着用できる防雨マスクである。
【背景技術】
【０００２】
電動カートを使って出かけるのは非常に便利であり、ところが雨の日にはレインコートを着用するのが非常にややこしく、水が防雨布又はヘルメットのゴーグルに落ちると視界が悪くなり、光線が分散され、サイドミラーも曖昧で見えなく、サイクリングに影響を与える。
【先行技術文献】
【特許文献】
【０００３】
【特許文献１】中国特許出願公開第１０４７７０９１３号明細書
【発明の概要】
【発明が解決しようとする課題】
【０００４】
本発明の目的は便利に着用できる防雨マスクを提供し、現有の技術の上記欠点を克服できる。
【課題を解決するための手段】
【０００５】
本発明の実施例における便利に着用できる防雨マスクは、ヘルメット部分と防雨部分を含み、前記防雨部分を電動カートに掛けることができ、前記ヘルメット部分は外殻を含み、前記外殻の頂部端面には頂部固定ブロックが設置され、前記頂部固定ブロックの頂部端面には球体が設置され、前記外殻の前後両側端面の間には防風板が回転できるように取り付けられ、前記防風板の中には太陽光の直射の影響を減少する遮光部品が設置され、前記遮光部品は前記防風板の中に位置する遮光チャンバを含み、前記遮光チャンバの頂壁にはスライド溝が設置され、前記スライド溝の中には回転軸がスライドできるように取り付けられ、前記回転軸の端部には固定スリーブが回転できるように取り付けられ、前記固定スリーブの端部には前記遮光部品の移動を制御するハンドル部分が設置され、前記ハンドル部分は前記固定スリーブの端部に固定的に取り付けられる連結棒を含み、前記連結棒と前記防風板とがスライドできるように係合され、前記防風板のうち後に近接している端面の中には方形係止溝が設置され、前記連結棒の外側にはハンドルブロックがスライドできるように取り付けられ、前記ハンドルブロックが前記方形係止溝と差込係合されて前記遮光部品を固定でき、前記外殻の中には裏地が設置され、前記外殻の左側には砂を防御し保温できるマスク部分が設置されている。
【０００６】
更なる技術方案、前記遮光部分は前記遮光チャンバの右側壁に固定的に取り付けられるラックを含み、前記回転軸には歯車が設置され、前記歯車と前記ラックとが噛合し、前記回転軸の外側には遮光防水膜が数回に固定的に巻き付けられており、前記遮光防水膜と前記遮光チャンバの前側壁とが固定され、前記固定スリーブと前記遮光チャンバの底壁とが接触している。
【０００７】
更なる技術方案、前記ハンドル部分はハンドルブロックの中の弾力溝を含み、前記連結棒と前記弾力溝とがスライドできるように係合され、前記弾力溝の左壁の中には位置制限溝が設置され、前記連結棒の左端面には位置制限ブロックが設置され、前記位置制限ブロックと前記位置制限溝とがスライドできるように係合され、前記連結棒と前記弾力溝の底壁との間には引張力撥条が設置され、前記ハンドルブロックの底部端面にはブロック体が設置されている。
【０００８】
更なる技術方案、前記マスク部分はマスクを含み、前記外殻の後側端面の中にはネジ山穴が設置され、前記ネジ山穴にはネジ山ブロックがネジ山によって係合して取り付けられ、前記マスクが前記ネジ山穴によって前記外殻の後側端面に固定でき、前記外殻の前側端面にはＬ型バックルが設置され、前記マスクの前端には弾性バンドが設置され、前記弾性バンドを前記Ｌ型バックルの中に引っ掛けることができる。
【０００９】
更なる技術方案、前記防雨部分は頂部プラスチックボードを含み、前記頂部プラスチックボードは前記球体と回転できるように協働でき、前記頂部プラスチックボードの外側には透明防雨布が設置され、前記透明防雨布には前側透明板が設置され、前記電動カートには二つのサイドミラーが設置され、前記透明防雨布には二つのサイドミラーカバーが設置され、前記サイドミラーカバーを前記電動カートに掛けることができ、前記サイドミラーカバーにはサイドミラー透明板が設置されている。
【発明の効果】
【００１０】
本発明の有益な効果は下記の通りである：
【００１１】
本発明はヘルメット部分と防雨部分に分けられ、ヘルメット部分は遮光部品がついており、ハンドル部分によって遮光部品の中の遮光防水膜の収納展開を制御し、太陽光を遮り、防雨部分は便利に着用でき、前側の透明板は視界を広げ、サイドミラー透明板は伝統的なレインコートと異なり、雨の日にもサイドミラーを通して後側の状況を観察でき、便利にサイクリングでき、普及する価値がある。
【図面の簡単な説明】
【００１２】
【図１】図１はサイクリングする時の全体構成模式図であり；
【図２】図２は図１のＡの拡大模式図であり；
【図３】図３は図１のＢの拡大模式図であり；
【図４】図４はヘルメット部分の構成模式図であり；
【図５】図５は図４のＣ−Ｃ方向の断面構成模式図であり；
【図６】図６は図４のＤの拡大模式図である。
【発明を実施するための形態】
【００１３】
以下は図１−６について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１−６を参考して、本発明の実施例における便利に着用できる防雨マスクは、ヘルメット部分８０１と防雨部分８０２を含み、前記防雨部分８０２を電動カート１１に掛けることができ、前記ヘルメット部分８０１は外殻１３を含み、前記外殻１３の頂部端面には頂部固定ブロック１８が設置され、前記頂部固定ブロック１８の頂部端面には球体２０が設置され、前記外殻１３の前後両側端面の間には防風板２１が回転できるように取り付けられ、前記防風板２１の中には太陽光の直射の影響を減少する遮光部品９０１が設置され、前記遮光部品９０１は前記防風板２１の中に位置する遮光チャンバ２６を含み、前記遮光チャンバ２６の頂壁にはスライド溝２２が設置され、前記スライド溝２２の中には回転軸２５がスライドできるように取り付けられ、前記回転軸２５の端部には固定スリーブ３６が回転できるように取り付けられ、前記固定スリーブ３６の端部には前記遮光部品９０１の移動を制御するハンドル部分９０２が設置され、前記ハンドル部分９０２は前記固定スリーブ３６の端部に固定的に取り付けられる連結棒３７を含み、前記連結棒３７と前記防風板２１とがスライドできるように係合され、前記防風板２１のうち後に近接している端面の中には方形係止溝３８が設置され、前記連結棒３７の外側にはハンドルブロック４０がスライドできるように取り付けられ、前記ハンドルブロック４０が前記方形係止溝３８と差込係合されて前記遮光部品９０１を固定でき、前記外殻１３の中には裏地２８が設置され、前記外殻１３の左側には砂を防御し保温できるマスク部分９０３が設置されている。
【００１５】
前記遮光部分９０１は前記遮光チャンバ２６の右側壁に固定的に取り付けられるラック２４を含み、前記回転軸２５には歯車２３が設置され、前記歯車２３と前記ラック２４とが噛合し、前記回転軸２５の外側には遮光防水膜２７が数回に固定的に巻き付けられており、前記遮光防水膜２７と前記遮光チャンバ２６の前側壁とが固定され、前記固定スリーブ３６と前記遮光チャンバ２６の底壁とが接触している；固定スリーブ３６が後へ移動して回転軸２５と歯車２３を後へ移動連動させ、歯車２３がラック２４との噛合によって回転軸２５を回転連動させ、回転軸２５の回転と変位によって、遮光防水膜２７が段々開き、太陽光を遮られる。
【００１６】
前記ハンドル部分９０２はハンドルブロック４０の中の弾力溝４３を含み、前記連結棒３７と前記弾力溝４３とがスライドできるように係合され、前記弾力溝４３の左壁の中には位置制限溝４２が設置され、前記連結棒３７の左端面には位置制限ブロック４１が設置され、前記位置制限ブロック４１と前記位置制限溝４２とがスライドできるように係合され、前記連結棒３７と前記弾力溝４３の底壁との間には引張力撥条４４が設置され、前記ハンドルブロック４０の底部端面にはブロック体４５が設置されている；遮光防水膜２７を開く時、ブロック体４５を握ってハンドルブロック４０と連結棒３７を移動連動させ、連結棒３７が固定スリーブ３６を移動連動させ、ハンドルブロック４０が方形係止溝３８のところに移動した後引張力撥条４４の作用によって上に引っ張られ、ハンドルブロック４０と方形係止溝３８とが挿設され、回転軸２５の位置を安定させ、遮光防水膜２７を納める時下へブロック体４５を引っ張り、ハンドルブロック４０を連動させて方形係止溝３８から出させ、ハンドルブロック４０を元に移動した後回転軸２５を反方向に回転連動させて遮光防水膜２７を巻く。
【００１７】
前記マスク部分９０３はマスク３３を含み、前記外殻１３の後側端面の中にはネジ山穴３２が設置され、前記ネジ山穴３２にはネジ山ブロック３０がネジ山によって係合して取り付けられ、前記マスク３３が前記ネジ山穴３２によって前記外殻１３の後側端面に固定でき、前記外殻１３の前側端面にはＬ型バックル３５が設置され、前記マスク３３の前端には弾性バンド３４が設置され、前記弾性バンド３４を前記Ｌ型バックル３５の中に引っ掛けることができる。マスク３３を使う時、ネジ山ブロック３０によってマスク３３の後端を固定し、弾性バンド３４を引っ張って弾性バンド３４をＬ型バックル３５に掛ける。
【００１８】
前記防雨部分８０２は頂部プラスチックボード１４を含み、前記頂部プラスチックボード１４は前記球体２０と回転できるように協働でき、前記頂部プラスチックボード１４の外側には透明防雨布１０が設置され、前記透明防雨布１０には前側透明板１５が設置され、前記電動カート１１には二つのサイドミラー１２が設置され、前記透明防雨布１０には二つのサイドミラーカバー１６が設置され、前記サイドミラーカバー１６を前記電動カート１１に掛けることができ、前記サイドミラーカバー１６にはサイドミラー透明板７が設置され、防雨部分８０２を着用する時、頂部プラスチックボード１４を球体２０に置き、防風板２１を上げ、前側透明板１５と頂部プラスチックボード１４との間の透明防雨布１０を突き上げ、サイドミラーカバー１６をサイドミラー１２に被せる。
【００１９】
使用する時、遮光防水膜２７を開く時、ブロック体４５を握ってハンドルブロック４０と連結棒３７を移動連動させ、連結棒３７が固定スリーブ３６を移動連動させ、固定スリーブ３６が後へ移動して回転軸２５と歯車２３を後へ移動連動させ、歯車２３がラック２４との噛合によって回転軸２５を回転連動させ、回転軸２５の回転と変位によって、遮光防水膜２７が段々に広がり、太陽光を遮り、ハンドルブロック４０が方形係止溝３８のところに移動した後引張力撥条４４の作用によって上に引っ張られ、ハンドルブロック４０と方形係止溝３８とが挿設され、回転軸２５の位置を安定させ、遮光防水膜２７を納める時ブロック体４５を下へ引っ張り、ハンドルブロック４０を連動させて方形係止溝３８から出させ、ハンドルブロック４０を元に移動した後回転軸２５を反方向に回転連動させて遮光防水膜２７を巻く；
【００２０】
マスク３３を使う時、ネジ山ブロック３０によってマスク３３の後端を固定し、弾性バンド３４を引いてＬ型バックル３５に掛ける；
【００２１】
防雨部分８０２を着用する時、頂部プラスチックボード１４を球体２０に置き、防風板２１を上げ、前側透明板１５と頂部プラスチックボード１４との間の透明防雨布１０を突き上げ、サイドミラーカバー１６をサイドミラー１２に掛け、前側透明板１５によって前の道を確認し、サイドミラー透明板１７を通してサイドミラー１２によって後側の道を確認できる。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020176357.tif 000003
【図２】
2020176357.tif 000004
【図３】
2020176357.tif 000005
【図４】
2020176357.tif 000006
【図５】
2020176357.tif 000007
【図６】
2020176357.tif 000008
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
便利に着用できる防雨マスクであって、ヘルメット部分と防雨部分を含み、前記防雨部分を電動カートに掛けることができ、前記ヘルメット部分は外殻を含み、前記外殻の頂部端面には頂部固定ブロックが設置され、前記頂部固定ブロックの頂部端面には球体が設置され、前記外殻の前後両側端面の間には防風板が回転できるように取り付けられ、前記防風板の中には太陽光の直射の影響を減少する遮光部品が設置され、前記遮光部品は前記防風板の中に位置する遮光チャンバを含み、前記遮光チャンバの頂壁にはスライド溝が設置され、前記スライド溝の中には回転軸がスライドできるように取り付けられ、前記回転軸の底部には固定スリーブが回転できるように取り付けられ、前記固定スリーブの端部には前記遮光部品の移動を制御するハンドル部分が設置され、前記ハンドル部分は前記固定スリーブの端部に固定的に取り付けられる連結棒を含み、前記連結棒と前記防風板とがスライドできるように係合され、前記防風板のうち後に近接している端面の中には方形係止溝が設置され、前記連結棒の外側にはハンドルブロックがスライドできるように取り付けられ、前記ハンドルブロックが前記方形係止溝と差込係合されて前記遮光部品を固定でき、前記外殻の中には裏地が設置され、前記外殻の左側には砂を防御し保温できるマスク部分が設置されており、
前記防雨部分は頂部プラスチックボードを含み、前記頂部プラスチックボードは前記球体と回転できるように協働でき、前記頂部プラスチックボードの外側には透明防雨布が設置され、前記透明防雨布には前側透明板が設置され、前記電動カートには二つのサイドミラーが設置され、前記透明防雨布には二つのサイドミラーカバーが設置され、前記サイドミラーカバーを前記電動カートに掛けることができ、前記サイドミラーカバーにはサイドミラー透明板が設置され、防雨部分を着用する時、頂部プラスチックボードを球体に置き、防風板を上げ、前側透明板と頂部プラスチックボードとの間の透明防雨布を突き上げ、サイドミラーカバーをサイドミラーに被せることを特徴とする便利に着用できる防雨マスク。
【請求項２】
前記遮光部品は前記遮光チャンバの右側壁に固定的に取り付けられるラックを含み、前記回転軸には歯車が設置され、前記歯車と前記ラックとが噛合し、前記回転軸の外側には遮光防水膜が数回に固定的に巻き付けられており、前記遮光防水膜と前記遮光チャンバの前側壁とが固定され、前記固定スリーブと前記遮光チャンバの底壁とが接触している；固定スリーブが後へ移動して回転軸と歯車を後へ移動連動させ、歯車がラックとの噛合によって回転軸を回転連動させ、回転軸の回転と変位によって、遮光防水膜が段々開ていくことを特徴とする請求項１に記載の便利に着用できる防雨マスク。
【請求項３】
前記ハンドル部分はハンドルブロックの中の伸縮溝を含み、前記連結棒と前記伸縮溝とがスライドできるように係合され、前記伸縮溝の左壁の中には位置制限溝が設置され、前記連結棒の左端面には位置制限ブロックが設置され、前記位置制限ブロックと前記位置制限溝とがスライドできるように係合され、前記連結棒と前記伸縮溝の底壁との間には引張力撥条が設置され、前記ハンドルブロックの底部端面にはブロック体が設置されている；遮光防水膜を開く時、ブロック体を握ってハンドルブロックと連結棒を移動連動させ、連結棒が固定スリーブを移動連動させ、ハンドルブロックが方形係止溝のところに移動した後引張力撥条の作用によって上に引っ張られ、ハンドルブロックと方形係止溝とが挿設され、回転軸の位置を安定させ、遮光防水膜を納める時下へブロック体を引っ張り、ハンドルブロックを連動させて方形係止溝から出させ、ハンドルブロックを前に移動した後回転軸を反方向に回転連動させて遮光防水膜を巻くことを特徴とする請求項１に記載の便利に着用できる防雨マスク。
【請求項４】
前記マスク部分はマスクを含み、前記外殻の後側端面の中にはネジ山穴が設置され、前記ネジ山穴にはネジ山ブロックがネジ山によって係合して取り付けられ、前記マスクが前記ネジ山穴によって前記外殻の後側端面に固定でき、前記外殻の前側端面にはＬ型バックルが設置され、前記マスクの前端には弾性バンドが設置され、前記弾性バンドを前記Ｌ型バックルの中に引っ掛けることができる。マスクを使う時、ネジ山ブロックによってマスクの後端を固定し、弾性バンドを引っ張って弾性バンドをＬ型バックルに掛けることを特徴とする請求項１に記載の便利に着用できる防雨マスク。
【手続補正２】
【補正対象書類名】明細書
【補正対象項目名】全文
【補正方法】変更
【補正の内容】
【発明の詳細な説明】
【技術分野】
【０００１】
本発明はサイクリングマスクの分野を取り上げて、具体的には便利に着用できる防雨マスクである。
【背景技術】
【０００２】
電動カートを使って出かけるのは非常に便利であり、ところが雨の日にはレインコートを着用するのが非常にややこしく、水が防雨布又はヘルメットのゴーグルに落ちると視界が悪くなり、光線が分散され、サイドミラーも曖昧で見えなく、サイクリングに影響を与える。
【先行技術文献】
【特許文献】
【０００３】
【特許文献１】中国特許出願公開第１０４７７０９１３号明細書
【発明の概要】
【発明が解決しようとする課題】
【０００４】
本発明の目的は便利に着用できる防雨マスクを提供し、現有の技術の上記欠点を克服できる。
【課題を解決するための手段】
【０００５】
本発明の実施例における便利に着用できる防雨マスクは、ヘルメット部分と防雨部分を含み、前記防雨部分を電動カートに掛けることができ、前記ヘルメット部分は外殻を含み、前記外殻の頂部端面には頂部固定ブロックが設置され、前記頂部固定ブロックの頂部端面には球体が設置され、前記外殻の前後両側端面の間には防風板が回転できるように取り付けられ、前記防風板の中には太陽光の直射の影響を減少する遮光部品が設置され、前記遮光部品は前記防風板の中に位置する遮光チャンバを含み、前記遮光チャンバの頂壁にはスライド溝が設置され、前記スライド溝の中には回転軸がスライドできるように取り付けられ、前記回転軸の底部には固定スリーブが回転できるように取り付けられ、前記固定スリーブの端部には前記遮光部品の移動を制御するハンドル部分が設置され、前記ハンドル部分は前記固定スリーブの端部に固定的に取り付けられる連結棒を含み、前記連結棒と前記防風板とがスライドできるように係合され、前記防風板のうち後に近接している端面の中には方形係止溝が設置され、前記連結棒の外側にはハンドルブロックがスライドできるように取り付けられ、前記ハンドルブロックが前記方形係止溝と差込係合されて前記遮光部品を固定でき、前記外殻の中には裏地が設置され、前記外殻の左側には砂を防御し保温できるマスク部分が設置されている。
【０００６】
更なる技術方案、前記遮光部品は前記遮光チャンバの右側壁に固定的に取り付けられるラックを含み、前記回転軸には歯車が設置され、前記歯車と前記ラックとが噛合し、前記回転軸の外側には遮光防水膜が数回に固定的に巻き付けられており、前記遮光防水膜と前記遮光チャンバの前側壁とが固定され、前記固定スリーブと前記遮光チャンバの底壁とが接触している。
【０００７】
更なる技術方案、前記ハンドル部分はハンドルブロックの中の伸縮溝を含み、前記連結棒と前記伸縮溝とがスライドできるように係合され、前記伸縮溝の左壁の中には位置制限溝が設置され、前記連結棒の左端面には位置制限ブロックが設置され、前記位置制限ブロックと前記位置制限溝とがスライドできるように係合され、前記連結棒と前記伸縮溝の底壁との間には引張力撥条が設置され、前記ハンドルブロックの底部端面にはブロック体が設置されている。
【０００８】
更なる技術方案、前記マスク部分はマスクを含み、前記外殻の後側端面の中にはネジ山穴が設置され、前記ネジ山穴にはネジ山ブロックがネジ山によって係合して取り付けられ、前記マスクが前記ネジ山穴によって前記外殻の後側端面に固定でき、前記外殻の前側端面にはＬ型バックルが設置され、前記マスクの前端には弾性バンドが設置され、前記弾性バンドを前記Ｌ型バックルの中に引っ掛けることができる。
【０００９】
更なる技術方案、前記防雨部分は頂部プラスチックボードを含み、前記頂部プラスチックボードは前記球体と回転できるように協働でき、前記頂部プラスチックボードの外側には透明防雨布が設置され、前記透明防雨布には前側透明板が設置され、前記電動カートには二つのサイドミラーが設置され、前記透明防雨布には二つのサイドミラーカバーが設置され、前記サイドミラーカバーを前記電動カートに掛けることができ、前記サイドミラーカバーにはサイドミラー透明板が設置されている。
【発明の効果】
【００１０】
本発明の有益な効果は下記の通りである：
【００１１】
本発明はヘルメット部分と防雨部分に分けられ、ヘルメット部分は遮光部品がついており、ハンドル部分によって遮光部品の中の遮光防水膜の収納展開を制御し、太陽光を遮り、防雨部分は便利に着用でき、前側の透明板は視界を広げ、サイドミラー透明板は伝統的なレインコートと異なり、雨の日にもサイドミラーを通して後側の状況を観察でき、便利にサイクリングでき、普及する価値がある。
【図面の簡単な説明】
【００１２】
【図１】図１はサイクリングする時の全体構成模式図であり；
【図２】図２は図１のＡの拡大模式図であり；
【図３】図３は図１のＢの拡大模式図であり；
【図４】図４はヘルメット部分の構成模式図であり；
【図５】図５は図４のＣ−Ｃ方向の断面構成模式図であり；
【図６】図６は図４のＤの拡大模式図である。
【発明を実施するための形態】
【００１３】
下記に図1〜６をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１４】
図１−６を参考して、本発明の実施例における便利に着用できる防雨マスクは、ヘルメット部分８０１と防雨部分８０２を含み、前記防雨部分８０２を電動カート１１に掛けることができ、前記ヘルメット部分８０１は外殻１３を含み、前記外殻１３の頂部端面には頂部固定ブロック１８が設置され、前記頂部固定ブロック１８の頂部端面には球体２０が設置され、前記外殻１３の前後両側端面の間には防風板２１が回転できるように取り付けられ、前記防風板２１の中には太陽光の直射の影響を減少する遮光部品９０１が設置され、前記遮光部品９０１は前記防風板２１の中に位置する遮光チャンバ２６を含み、前記遮光チャンバ２６の頂壁にはスライド溝２２が設置され、前記スライド溝２２の中には回転軸２５がスライドできるように取り付けられ、前記回転軸２５の底部には固定スリーブ３６が回転できるように取り付けられ、前記固定スリーブ３６の端部には前記遮光部品９０１の移動を制御するハンドル部分９０２が設置され、前記ハンドル部分９０２は前記固定スリーブ３６の端部に固定的に取り付けられる連結棒３７を含み、前記連結棒３７と前記防風板２１とがスライドできるように係合され、前記防風板２１のうち後に近接している端面の中には方形係止溝３８が設置され、前記連結棒３７の外側にはハンドルブロック４０がスライドできるように取り付けられ、前記ハンドルブロック４０が前記方形係止溝３８と差込係合されて前記遮光部品９０１を固定でき、前記外殻１３の中には裏地２８が設置され、前記外殻１３の左側には砂を防御し保温できるマスク部分９０３が設置されている。
【００１５】
前記遮光部品９０１は前記遮光チャンバ２６の右側壁に固定的に取り付けられるラック２４を含み、前記回転軸２５には歯車２３が設置され、前記歯車２３と前記ラック２４とが噛合し、前記回転軸２５の外側には遮光防水膜２７が数回に固定的に巻き付けられており、前記遮光防水膜２７と前記遮光チャンバ２６の前側壁とが固定され、前記固定スリーブ３６と前記遮光チャンバ２６の底壁とが接触している；固定スリーブ３６が後へ移動して回転軸２５と歯車２３を後へ移動連動させ、歯車２３がラック２４との噛合によって回転軸２５を回転連動させ、回転軸２５の回転と変位によって、遮光防水膜２７が段々開き、太陽光を遮られる。
【００１６】
前記ハンドル部分９０２はハンドルブロック４０の中の伸縮溝４３を含み、前記連結棒３７と前記伸縮溝４３とがスライドできるように係合され、前記伸縮溝４３の左壁の中には位置制限溝４２が設置され、前記連結棒３７の左端面には位置制限ブロック４１が設置され、前記位置制限ブロック４１と前記位置制限溝４２とがスライドできるように係合され、前記連結棒３７と前記伸縮溝４３の底壁との間には引張力撥条４４が設置され、前記ハンドルブロック４０の底部端面にはブロック体４５が設置されている；遮光防水膜２７を開く時、ブロック体４５を握ってハンドルブロック４０と連結棒３７を移動連動させ、連結棒３７が固定スリーブ３６を移動連動させ、ハンドルブロック４０が方形係止溝３８のところに移動した後引張力撥条４４の作用によって上に引っ張られ、ハンドルブロック４０と方形係止溝３８とが挿設され、回転軸２５の位置を安定させ、遮光防水膜２７を納める時下へブロック体４５を引っ張り、ハンドルブロック４０を連動させて方形係止溝３８から出させ、ハンドルブロック４０を前に移動した後回転軸２５を反方向に回転連動させて遮光防水膜２７を巻く。
【００１７】
前記マスク部分９０３はマスク３３を含み、前記外殻１３の後側端面の中にはネジ山穴３２が設置され、前記ネジ山穴３２にはネジ山ブロック３０がネジ山によって係合して取り付けられ、前記マスク３３が前記ネジ山穴３２によって前記外殻１３の後側端面に固定でき、前記外殻１３の前側端面にはＬ型バックル３５が設置され、前記マスク３３の前端には弾性バンド３４が設置され、前記弾性バンド３４を前記Ｌ型バックル３５の中に引っ掛けることができる。マスク３３を使う時、ネジ山ブロック３０によってマスク３３の後端を固定し、弾性バンド３４を引っ張って弾性バンド３４をＬ型バックル３５に掛ける。
【００１８】
前記防雨部分８０２は頂部プラスチックボード１４を含み、前記頂部プラスチックボード１４は前記球体２０と回転できるように協働でき、前記頂部プラスチックボード１４の外側には透明防雨布１０が設置され、前記透明防雨布１０には前側透明板１５が設置され、前記電動カート１１には二つのサイドミラー１２が設置され、前記透明防雨布１０には二つのサイドミラーカバー１６が設置され、前記サイドミラーカバー１６を前記電動カート１１に掛けることができ、前記サイドミラーカバー１６にはサイドミラー透明板７が設置され、防雨部分８０２を着用する時、頂部プラスチックボード１４を球体２０に置き、防風板２１を上げ、前側透明板１５と頂部プラスチックボード１４との間の透明防雨布１０を突き上げ、サイドミラーカバー１６をサイドミラー１２に被せる。
【００１９】
使用する時、遮光防水膜２７を開く時、ブロック体４５を握ってハンドルブロック４０と連結棒３７を移動連動させ、連結棒３７が固定スリーブ３６を移動連動させ、固定スリーブ３６が後へ移動して回転軸２５と歯車２３を後へ移動連動させ、歯車２３がラック２４との噛合によって回転軸２５を回転連動させ、回転軸２５の回転と変位によって、遮光防水膜２７が段々に広がり、太陽光を遮り、ハンドルブロック４０が方形係止溝３８のところに移動した後引張力撥条４４の作用によって上に引っ張られ、ハンドルブロック４０と方形係止溝３８とが挿設され、回転軸２５の位置を安定させ、遮光防水膜２７を納める時ブロック体４５を下へ引っ張り、ハンドルブロック４０を連動させて方形係止溝３８から出させ、ハンドルブロック４０を前に移動した後回転軸２５を反方向に回転連動させて遮光防水膜２７を巻く；
【００２０】
マスク３３を使う時、ネジ山ブロック３０によってマスク３３の後端を固定し、弾性バンド３４を引いてＬ型バックル３５に掛ける；
【００２１】
防雨部分８０２を着用する時、頂部プラスチックボード１４を球体２０に置き、防風板２１を上げ、前側透明板１５と頂部プラスチックボード１４との間の透明防雨布１０を突き上げ、サイドミラーカバー１６をサイドミラー１２に掛け、前側透明板１５によって前の道を確認し、サイドミラー透明板１７を通してサイドミラー１２によって後側の道を確認できる。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。